(57)【要約】【課題】  作業者の工数を増加させることなく、きわめて容易に、プログラム書込時に主電源回路をオン状態にするプログラム書込システムを提供すること。【解決手段】  電気機器１と、電気機器１にプログラムを書き込むプログラム送信装置２と、プログラム送信装置２からのプログラムを電気機器１に供給する書込治具３とを備える。電気機器１は、プログラムを書き換え可能なマイコン１４と、主電源回路１２と、待機電源回路と１２、リレースイッチ２４Ａをオン／オフすることにより主電源回路１２をオン／オフ制御する切換手段と、書込治具３と接続される第１の接続手段１６とを有する。書込治具３は、第１の接続手段１６と接続される第２の接続手段２６を有する。第１の接続手段１６と第２の接続手段２６とが接続された際に、待機電源回路１１からの電圧が切換手段に供給され、リレースイッチ２４Ａをオン状態にし、主電源回路１２をオン状態にする。【選択図】図１
2006244157.tif 000002
【特許請求の範囲】
【請求項１】
電気機器と、該電気機器にプログラムを送信するプログラム送信装置と、該電気機器と該プログラム送信装置との間に接続される書込治具とを備え、
該電気機器が、プログラムを書き換え可能な制御手段と、
入力電圧が与えられ主回路および該制御手段に電圧を供給する主電源回路と、
入力電圧が与えられ該制御手段に電圧を供給する待機電源回路と、
スイッチをオフ状態にすることにより該主電源回路をオフ状態にし、該スイッチをオン状態にすることにより該主電源回路をオン状態にする切換手段と、
該書込治具と接続される第１の接続手段とを有し、
該書込治具が、該第１の接続手段と接続される第２の接続手段を有し、
該第１の接続手段と該第２の接続手段とが接続された際に、該待機電源回路からの電圧を該切換手段に供給して、該スイッチをオン状態にする主電源制御手段をさらに備える、プログラム書込システム。
【請求項２】
前記切換手段が前記スイッチをオンオフ制御するトランジスタを含み、
前記主電源制御手段が、前記第１の接続手段が含む第１の電圧供給端子と第１の切換制御端子、および、前記第２の接続手段が含む第２の電圧供給端子と第２の切換制御端子を有し、
該第１の電圧供給端子が前記待機電源回路および前記主電源回路の出力に接続され、該第１の切換制御端子が該トランジスタの制御電極に接続され、該第２の電圧供給端子が該第２切換制御端子に接続されており、
該主電源制御手段が、該第１の電圧供給端子と該第２の電圧供給端子とを接続し、かつ、該第１の切換制御端子と該第２の切換制御端子とを接続することにより、該待機電源回路からの電圧を該切換手段に供給する、請求項１に記載のプログラム書込システム。
【請求項３】
前記書込治具が、前記プログラム送信装置に接続される第３の接続手段をさらに有し、
前記プログラム送信装置が、該第３の接続手段に接続される第４の接続手段を有する、請求項１または２に記載のプログラム書込システム。
【請求項４】
プログラムを送信するプログラム送信装置に接続される書込治具に接続可能な第１の接続手段と、
プログラムを書き換え可能な制御手段と、
入力電圧が与えられ主回路および該制御手段に電圧を供給する主電源回路と、
入力電圧が与えられ該制御手段に電圧を供給する待機電源回路と、
スイッチと該スイッチをオンオフ制御するトランジスタとを含み、該スイッチをオフ状態にすることにより該主電源回路をオフ状態にし、該スイッチをオン状態にすることにより該主電源回路をオン状態にする切換手段とを有し、
該第１の接続手段が、該待機電源回路および該主電源回路の出力に接続された第１の電圧供給端子、および、該トランジスタの制御電極に接続された第２の切換制御端子を含み、
該第１の接続手段が該書込治具に接続された際に、該電圧供給端子と該切換制御端子とが短絡され、該待機電源回路からの電圧を該トランジスタの制御電極に供給することにより、該スイッチをオン状態にする、電気機器。
【発明の詳細な説明】
【技術分野】
【０００１】
本発明は、電気機器のマイコンにプログラムを書き込むプログラム書込システムに関する。
【背景技術】
【０００２】
図３は、従来のプログラム書込システム３００を示す概略回路図である。プログラム書込システム３００は、プログラム送信装置３０２から送信されるプログラムのデータを、電気機器３０１内のマイクロコンピュータ（以下、マイコンとする）３１４に書き込む。プログラム書込時には、電気機器３０１は待機（スタンバイ）状態であるので、主電源回路３１２はオフ状態であり、待機電源回路３１１が入力電圧を整流および平滑してマイコン３１４に供給する。マイコン３１４は、待機電源回路３１１から供給された電圧によって、プログラム書込を実行する。
【０００３】
また、近年、電気機器の省電力化が要求され、マイコンにスタンバイ状態における消費電力を低減する低消費電力モードが設けられるようになっている。これに伴い、待機電源回路３１１はマイコン３１４が低消費電力モードで動作できる程度の電圧を供給すれば十分であるので、待機電源回路３１１のトランス３１７がかなり小型化されている。しかしながら、マイコン３１４へのプログラム書込時には、マイコン３１４に大きな電圧が必要であり、小型化されたトランス３１７を有する待機電源回路３１１では、プログラム書込時に必要な電圧をマイコン３１４に供給できないという問題が生じる。
【０００４】
この問題を解決するために、マイコン３１４へのプログラム書込時に、外部の電源回路を電気機器３０１に接続して、マイコン３１４に電圧を供給する方法が提案されている。しかし、この方法では、専用のコネクタを電気機器３０１内に設ける必要があり、コストが増加する。さらに、専用のコネクタを外部の電源回路に接続する必要があるので、作業工数が増加する。
【０００５】
また、プログラム書込時に、主電源回路３１２をオン状態にし、主電源回路３１２からの電圧をマイコン３１４に供給する方法が提案されている。この場合、電気機器３０１が待機状態であり、マイコン３１４が低消費電力モードであるので、マイコン３１４は、トランジスタ３２５をオン状態にし（リレースイッチ３２４Ａをオン状態にし）主電源回路３１２をオン状態に制御するための信号を主電源制御端子ｂから出力することができない。すなわち、マイコン３１４は、格納されるプログラムに基づいて動作を実行するので、プログラム書込時は動作を実行できない。そのため、機械的なスイッチをトランジスタ３２５に並列に接続して、機械的なスイッチを作業者の手作業でオン状態にすることによって、（リレースイッチ３２４をオン状態にし、）主電源回路３１２をオン状態にし、主電源回路３１２からの電圧をマイコン３１４に供給する方法が提案されている。しかし、この方法では、機械的なスイッチを設ける必要がありコストが増加し、かつ、スイッチを手作業でオン状態にするので作業工数が増加するという問題がある。
【０００６】
また、ショートピンを使って、トランジスタ３２５のコレクタ−エミッタ間を短絡することによって、主電源回路３１２をオン状態にし、主電源回路からの電圧をマイコンに供給する方法が提案されている。この方法では、工数が増加すると共に、プログラム書込終了後にショートピンが取り除かれずに、誤って電気機器内に残ってしまう可能性がある。
【０００７】
【特許文献１】特開平８−２０３２８８号公報
【発明の開示】
【発明が解決しようとする課題】
【０００８】
本発明は上記従来の課題を解決するためになされたものであり、その目的は、作業者の工数を増加させることなく、プログラム書込時に主電源回路をオン状態にし、主電源回路からの電圧をマイコンに供給するプログラム書込システムを提供することである。
【課題を解決するための手段】
【０００９】
本発明の好ましい実施形態によるプログラム書込システムは、電気機器と、該電気機器にプログラムを送信するプログラム送信装置と、該電気機器と該プログラム送信装置との間に接続される書込治具とを備える。該電気機器は、プログラムを書き換え可能な制御手段と、入力電圧が与えられ主回路および該制御手段に電圧を供給する主電源回路と、入力電圧が与えられ該制御手段に電圧を供給する待機電源回路と、スイッチをオフ状態にすることにより該主電源回路をオフ状態にし、該スイッチをオン状態にすることにより該主電源回路をオン状態にする切換手段と、該書込治具と接続される第１の接続手段とを有する。該書込治具は、該第１の接続手段と接続される第２の接続手段を有する。該プログラム書込システムは、該第１の接続手段と該第２の接続手段とが接続された際に、該待機電源回路からの電圧を該切換手段に供給して、該スイッチをオン状態にする主電源制御手段をさらに備える。
【００１０】
電気機器を書込治具に接続する（第１の接続手段を第２の接続手段に接続する）と、待機電源回路から電圧が切換手段に供給され、切換手段のスイッチ（例えば、リレースイッチ）がオン状態になる。スイッチがオン状態になると主電源回路がオン状態になるので、主電源回路からの電圧を制御手段に供給できるようになる。制御手段は主電源回路からの電圧を受けてプログラムの書き込みを実行する。プログラム書込作業時に、書込治具はプログラム送信装置に常時接続されている状態であるので、作業者は、単に電気機器を書込治具に接続するだけで、主電源回路をオン状態にすることができる。つまり、書込治具を介して接続するだけであるので、図３の場合に比べて作業工数は増加しない。従って、作業工数を増加させることなく、プログラム書込時に主電源回路をオン状態にすることができる。さらに、主電源回路をオン状態にするために電気機器内に機械的なスイッチまたはショートピンを使用しないので、作業者が機械的なスイッチをオフにするのを忘れたり、ショートピンを取り除くことを忘れたりするという問題が生じない。さらに機械的なスイッチを電気機器内に設ける必要がないので、コストが増加しない。さらに、主電源回路をオン状態にするために外部電源回路を使用しないので、専用コネクタを設ける必要がない。従って、コストが増加せず、作業工数が増加しない。
【００１１】
好ましい実施形態においては、上記切換手段は上記スイッチをオンオフ制御するトランジスタを含む。上記主電源制御手段は、上記第１の接続手段が含む第１の電圧供給端子と第１の切換制御端子、および、上記第２の接続手段が含む第２の電圧供給端子と第２の切換制御端子を有する。該第１の電圧供給端子は、上記待機電源回路および上記主電源回路の出力に接続され、該第１の切換制御端子は該トランジスタの制御電極に接続され、該第２の電圧供給端子は該第２切換制御端子に接続されている。該主電源制御手段は、該第１の電圧供給端子と該第２の電圧供給端子とを接続し、かつ、該第１の切換制御端子と該第２の切換制御端子とを接続することにより、該待機電源回路からの電圧を該切換手段に供給する。
【００１２】
第１の電圧供給端子と第２の電圧供給端子とを接続し、かつ、第１の切換制御端子と第２の切換制御端子とを接続することにより、第１の電圧供給端子と第１の切換制御端子とが短絡される。第１の電圧供給端子は待機電源回路の出力に接続され、第１の切換制御端子はトランジスタの制御電極に接続されているので、トランジスタの制御電極に待機電源回路からの電圧が供給される。トランジスタは、制御電極に電圧が供給されるとオン状態になり、スイッチ（リレースイッチ）がオン状態になり、主電源回路をオン状態にすることができる。従って、第１の接続手段と第２の接続手段とを接続することにより、主電源回路をオン状態にすることができる。
【００１３】
好ましい実施形態においては、上記書込治具は、上記プログラム送信装置に接続される第３の接続手段をさらに有し、上記プログラム送信装置は、該第３の接続手段に接続される第４の接続手段を有する。
【００１４】
書込治具が第３の接続手段を有し、プログラム送信装置が第４の接続手段を有するので、書込治具は、必要に応じて（プログラムを書き込む電気機器に対応して）、プログラム送信装置に接続したり、取り外したりすることができる。従って、待機電源回路からの電圧のみで制御手段にプログラムを書き込める電気機器の場合は、書込治具をプログラム送信装置から取り外し、電気機器をプログラム送信装置に直接接続する。これにより、主電源回路をオフの状態で制御手段にプログラムを書き込むことができる。従って、待機電源回路からの電圧でマイコンへのプログラム書込を実行できる場合、主電源回路をオン状態にしないので、無駄な電力消費を低減できる。
【００１５】
本発明の別の局面においてはプログラム書込可能な電気機器が提供され得る。この電気機器は、プログラムを送信するプログラム送信装置に接続される書込治具に接続可能な第１の接続手段と、プログラムを書き換え可能な制御手段と、入力電圧が与えられ主回路および該制御手段に電圧を供給する主電源回路と、入力電圧が与えられ該制御手段に電圧を供給する待機電源回路と、スイッチと該スイッチをオンオフ制御するトランジスタとを含み、該スイッチをオフ状態にすることにより該主電源回路をオフ状態にし、該スイッチをオン状態にすることにより該主電源回路をオン状態にする切換手段とを有する。該第１の接続手段は、該待機電源回路および該主電源回路の出力に接続された第１の電圧供給端子、および、該トランジスタの制御電極に接続された第２の切換制御端子を含む。該電気機器は、該第１の接続手段が該書込治具に接続された際に、該電圧供給端子と該切換制御端子とが短絡され、該待機電源回路からの電圧を該トランジスタの制御電極に供給することにより、該スイッチをオン状態にする。
【発明の効果】
【００１６】
プログラム書込時に、第１の接続手段と第２の接続手段とを接続することにより、待機電源回路からの電圧を切換手段に供給し、主電源回路をオン状態にすることができる。従って、待機電源回路からはマイコンにプログラムを書き込むための電圧を供給できない場合に、主電源回路を自動的にオン状態にし主電源回路からの電圧でプログラムを書き込むことができる。
【発明を実施するための最良の形態】
【００１７】
以下、本発明の好ましい実施形態について、図面を参照して具体的に説明するが、本発明はこれらの実施形態には限定されない。図１は、本発明の好ましい実施形態によるプログラム書込システム１００を説明するための概略回路図である。プログラム書込システム１００は、電気機器１と、電気機器１にプログラムを送信するプログラム送信装置２と、書込治具３とを備える。書込治具３はプログラム送信装置２に接続されており、プログラム書込時に、電気機器１が書込治具３に接続されることによって、電気機器１内の主電源回路１２をオン状態にすることができる。
【００１８】
電気機器１は、待機電源回路１１、主電源回路１２、マイコン用電源回路１３、制御手段１４、切換手段１５および第１の接続手段１６を備える。
【００１９】
待機電源回路１１は、主に待機状態（主電源回路１２がオフ状態で、待機電源回路１１がオン状態）の時に、制御手段（例えばマイコン）１４および／または図示しないマイコン１４の周辺回路（例えば、リモコン信号受信回路および表示回路等）に電圧を供給する回路である。待機電源回路１１は、トランス１７および整流回路１８を備えている。トランス１７は、その一次側巻線が商用交流電源に接続され（入力交流電圧が与えられ）、一次巻線と二次巻線との巻数比に基づいて入力交流電圧を所定の電圧に変換して整流回路１８に与える。整流回路１８は、トランス１７からの電圧を整流および平滑して直流電圧を生成する。整流回路１８は、全波整流回路Ｄ１、コンデンサＣ１および抵抗Ｒ１を含む。
【００２０】
主電源回路１２は、図示しない主回路（電源供給先の回路であり例えばアンプ回路等）およびマイコン１４に電圧を供給する回路である。主電源回路１２は、トランス１９および整流回路２０を備えている。トランス１９は、商用交流電源に接続され（入力交流電圧が与えられ）、一次巻線と二次巻線との巻数比に基づいて、入力交流電圧を所定の電圧に変換して整流回路２０に与える。整流回路２０は、トランス１９からの電圧を整流および平滑して、直流電圧を生成する。整流回路２０は、全波整流回路Ｄ２およびコンデンサＣ２を含む。
【００２１】
マイコン用電源回路１３は、待機電源回路１１および／または主電源回路１２からの電圧を受けて、マイコン１４に電圧を与える回路である。マイコン用電源回路１３は、逆電流防止用のダイオードＤ３、Ｄ４、コンデンサＣ３および安定化回路２１を備える。コンデンサＣ３にはマイコン１４に与えるための電圧が充電される。待機時には待機電源回路１１のみからコンデンサＣ３に電圧が充電され、通常動作時（主電源回路３がオン状態の時）には待機電源回路１１および主電源回路１２からコンデンサＣ３に電圧が充電される。安定化回路２１は、コンデンサＣ３からの電圧が与えられ、マイコン１４の動作に必要な安定化直流電圧を生成する。安定化回路２１の出力端は、マイコン１４の電圧入力端子ａに接続されている。
【００２２】
制御手段１４は、待機電源回路１１および／または主電源回路１２から電圧が供給され、電気機器１全体を制御するものであり、代表的にはマイコン（micro computer）が採用され得る。マイコン１４は、ＣＰＵ（中央演算処理装置）２２、フラッシュＥＥＰＲＯＭ２３、電圧入力端子ａ、主電源制御端子ｂ、および一または複数のプログラム書込端子ｃを有する。ＣＰＵ２２は、ＥＥＰＲＯＭ２３に格納されたプログラムを実行することにより電気機器１の各部（主回路、待機電源回路１１および主電源回路１２等）を制御する。ＥＥＰＲＯＭ２３は、書込治具３を介してプログラム送信装置２から送信されたプログラムを格納する。電圧入力端子ａは、マイコン用電源回路１３からマイコン１４を動作するために必要な電圧が与えられる端子である。主電源制御端子ｂは、主電源回路１２のオン状態／オフ状態を制御するための（すなわち、後述のリレースイッチ２４Ａをオン／オフするための）信号を出力する端子である。プログラム書込端子ｃは、ＥＥＰＲＯＭ２３に書き込むプログラムが供給される端子である。
【００２３】
切換手段１５は、主電源回路１２のオン状態およびオフ状態を切り換えるものである。切換手段１５は、代表的には、リレー回路２４およびリレードライブ用のトランジスタ２５を有する。リレー回路２４は、リレースイッチ２４Ａおよび巻線２４Ｂを含む。リレースイッチ２４Ａは、商用交流電源とトランス１９との間に接続される。主電源回路１２はリレースイッチ２４Ａの後段に接続され、待機電源回路１１はリレースイッチ２４Ａの前段に接続されているので、リレースイッチ２４Ａをオフ状態にすると、主電源回路１２のみがオフ状態になる。巻線２４Ｂの一端は整流回路１８の出力端に接続され、他端はトランジスタ２５のコレクタに接続されている。トランジスタ２５は、ベースに与えられる電圧に基づいて、リレー回路２４をオン／オフ制御する素子である。トランジスタ２５は、ベース（制御電極）が抵抗Ｒ２を介してマイコン１４の主電源制御端子ｂおよび後述する第１の切換制御端子１６Ｂに接続され、エミッタが接地電位ＧＮＤに接続されている。
【００２４】
第１の接続手段１６は、書込治具３（後述する第２の接続手段２６）に接続され、書込治具３を介してプログラム送信装置２からプログラムのデータが供給される。さらに、第１の接続手段１６は、書込治具３を介してプログラム送信装置２に電圧を供給する。第１の接続手段１６は、代表的にはコネクタであり、第１の電圧供給端子１６Ａおよび第１の切換制御端子１６Ｂを少なくとも含む。第１の接続手段１６は、さらに、一または複数のプログラム入力端子１６Ｃ、および接地端子１６Ｄを含む。第１の電圧供給端子１６Ａは、安定化回路２１の出力端に接続され（すなわち、待機電源回路１１および主電源回路１２の出力端に接続され）、プログラム書込時にマイコン１４へ供給される電圧を、プログラム送信装置２にも供給する端子である。第１の切換制御端子１６Ｂは、抵抗Ｒ２を介してトランジスタ２５のべースに接続されており、待機電源回路１１からの電圧をトランジスタ２５のベースに供給することにより、リレー回路２４をオン／オフ制御する端子である。プログラム書込端子１６Ｃは、プログラムのデータが供給される端子であり、プログラムの内容に応じて任意のものが設けられる。接地端子１６Ｄは、電気機器１の接地電位ＧＮＤに接続される端子である。
【００２５】
書込治具３は、電気機器１からの電圧をプログラム送信装置２に供給し、かつ、プログラム送信装置２からのプログラムデータを電気機器１に供給する。書込治具３は、第２の接続手段２６および第３の接続手段２７を有する。第２の接続手段２６は、プログラム書込時に、第１の接続手段１６に接続される。第２の接続手段２６は、第１の接続手段１６から電圧が入力され、かつ、第１の接続手段１６にプログラムのデータを出力する。第２の接続手段２６は、代表的にはコネクタであり、第１の接続手段１６の各端子１６Ａ〜１６Ｄに対応する端子を含む。つまり、第２の接続手段２６は、第２の電圧供給端子２６Ａおよび第２の切換制御端子２６Ｂを少なくとも含む（詳細は、主電源制御手段として後述する）。第２の接続手段２６は、さらに、一または複数のプログラム出力端子２６Ｃおよび接地端子２６Ｄを含む。プログラム書込時に、プログラム出力端子２６Ｃはプログラム入力端子１６Ｃに接続され、接地端子２６Ｄは接地端子１６Ｄにそれぞれ接続される。
【００２６】
第３の接続手段２７は、プログラム書込時にプログラム送信装置２に接続されている。第３の接続手段２７は、プログラム送信装置２からプログラムのデータが入力され、第２の接続手段２６に出力する。さらに、第３の接続手段２７は、第２の接続手段２６からの電圧をプログラム送信装置２に出力する。第３の接続手段２７は、代表的にはコネクタであり、第３の電圧供給端子２７Ａ、一または複数のプログラム入力端子２７Ｃおよび接地端子２７Ｄを含む。第３の電圧供給端子２７Ａは第２の電圧供給端子２６Ａに、プログラム入力端子２７Ｃはプログラム出力端子２６Ｃに、接地端子２７Ｄは接地端子２６Ｄにそれぞれ書込治具３内で接続されている。
【００２７】
電気機器１および書込治具３は、主電源制御手段を有する。主電源制御手段は、マイコン１４（主電源制御端子ｂ）からの信号を使用せずに、切換手段１５のリレースイッチ２４Ａをオン状態にする。つまり、主電源制御手段は、第１の接続手段１６と第２の接続手段２６とが接続された際に、待機電源回路１１からの電圧を切換手段１５に供給して、リレースイッチ２４Ａをオン状態にすることにより、主電源回路１２をオン状態に制御する。主電源制御手段は、第１の電圧供給端子１６Ａ、第１の切換制御端子１６Ｂ、第２の電圧供給端子２６Ａおよび第２の切換制御端子２６Ｂを含む。第２の電圧供給端子２６Ａと第２の切換制御端子２６Ｂとは書込治具３内部で接続されている。従って、プログラム書込時に、第１の電圧供給端子１６Ａと第２の電圧供給端子２６Ａとを接続し、第１の切換制御端子１６Ｂと第２の切換制御端子２６Ｂとを接続することにより、第１の電圧供給端子１６Ａと第１の切換制御端子１６Ｂとが短絡される。すなわち、安定化回路２１（待機電源回路１１）の出力とトランジスタ２５のベースとが短絡される。従って、待機電源回路１１からの電圧がトランジスタ２５のベースに供給されることになる。
【００２８】
プログラム送信装置２は、マイコン２９のＲＡＭ３１内に格納されているプログラムのデータを、書込治具３を介して電気機器１に送信するものであり、一般的にフラッシュライターと呼ばれている。プログラム送信装置２は、第４の接続手段２８を有する。第４の接続手段２８は、プログラム書込時に、第３の接続手段２７に接続されている。第４の接続手段２８は第３の接続手段２７から電圧が入力され、第３の接続手段２７にプログラムのデータを出力する。第４の接続手段２８は、代表的にはコネクタであり、第３の接続手段２７の各端子２７Ａ、２７Ｃ、２７Ｄに対応する端子を含む。つまり、第４の接続手段２８は、第４の電圧入力端子２８Ａ、一または複数のプログラム出力端子２８Ｃおよび接地端子２８Ｄを含む。第４の電圧供給端子２８Ａは第３の電圧供給端子２７Ａに接続され、プログラム出力端子２８Ｃはプログラム入力端子２７Ｃに接続され、接地端子２８Ｄは接地端子２７Ｄにそれぞれ接続される。操作部３２は、プログラムのデータを送信開始する指示を作業者が入力するためのものであり、操作ボタン等である。マイコン２９内のＣＰＵ３０は、プログラム書込時に、プログラム出力端子２８Ｃを介して電気機器１のＣＰＵ２２と通信する。
【００２９】
以上の構成を有するプログラム書込システム１００についてその動作を説明する。プログラム書込時には、書込治具３はプログラム送信装置２に接続された状態である。そのため、作業者は、待機状態にある電気機器１を書込治具３に接続したあと、プログラム送信装置２の操作部３２を操作することによって、電気機器１のＥＥＰＲＯＭ２３にプログラムを書き込むことができる。
【００３０】
電気機器１を書込治具３に接続する前は、リレースイッチ２４Ａがオフ状態であり、主電源回路１２はオフ状態である。ここで、第１の電圧供給端子１６Ａを第２の電圧供給端子２６Ａに接続し、第１の切換制御端子１６Ｂを第２の切換制御端子２６Ｂに接続する（プログラム入力端子１６Ｃをプログラム出力端子２６Ｃに接続し、接地端子１６Ｄを接地端子２６Ｄに接続する）。第２の電圧供給端子２６Ａと第２の切換制御端子２６Ｂとは書込治具３内で接続されているので、第１の電圧供給端子１６Ａと第１の切換制御端子１６Ｂとが短絡される。そのため、待機電源回路１１の出力は、ダイオードＤ４、安定化回路２１、第１の電圧供給端子１６Ａ、第２の電圧供給端子２６Ａ、第２の切換制御端子２６Ｂ、第１の切換制御端子１６Ｂおよび抵抗Ｒ２を介してトランジスタ２５のベースに接続される。従って、待機電源回路１１からの電圧がトランジスタ２５のべースに供給される。トランジスタ２５は、ベースに待機電源回路１１からの電圧が供給されると、ベース−エミッタ間電圧がトランジスタ２５の導通開始電圧以上になり、オン状態になる。トランジスタ２５がオン状態になると、待機電源回路１１からリレー回路２４の巻き線２４Ｂおよびトランジスタ２５を介して接地電位ＧＮＤに電流が流れ、リレースイッチ２４Ａがオン状態になる。それにより、主電源回路１２はオン状態になり、安定化回路２１を介してマイコン１４に電圧を供給するようになる。従って、待機状態である電気機器１が書込治具３に接続されることにより、自動的に主電源回路１２をオン状態にし、マイコン１４はプログラム書込を実行するために必要な電圧を得ることができる。
【００３１】
主電源回路１２および待機電源回路１１からの電圧は、さらに、第１の電圧供給端子１６Ａ、第２の電圧供給端子２６Ａ、第３の電圧供給端子２７Ａおよび第４の電圧供給端子２８Ａを介して、プログラム送信装置２に供給される。プログラム送信装置２は、当該電圧によって動作され、プログラム出力端子２８Ｃからプログラムのデータを出力する。このプログラムデータは、プログラム入力端子２７Ｃ，プログラム出力端子２６Ｃおよびプログラム入力端子１６Ｃを介して、マイコン１４のプログラム書込端子ｃに供給され、ＥＥＰＲＯＭ２３内に書き込まれる。
【００３２】
なお、電気機器１が書込治具３に接続されている間、トランジスタ２５のベースには切換制御端子１６Ｂを介して電圧が与えられるので、主電源回路１２はオン状態を維持する。一方、電気機器１を書込治具３から取り外すと、トランジスタ２５のベースに電圧が供給されなくなるので、リレー回路２４の巻き線２４Ｂに流れる電流が遮断される。その結果、リレースイッチ２４はオフ状態になり、主電源回路１２はオフ状態になる。以上のように、作業者は単に電気機器１を書込治具３に接続するだけで、他の作業を要することなく、主電源回路１２をオン状態にし、主電源回路１２からの電圧を使ってマイコン１４へのプログラム書込を実行することができる。さらに、電気機器１を書込治具３から取り外すと主電源回路１２がオフ状態になるので、ショートピンを使用する場合のように電気機器１内に主電源回路１をオン状態にするための器具が取り除かれずに誤って放置されるという問題を解決できる。
【００３３】
次に、待機電源回路１１からの電圧がプログラム書込時に必要な電圧以上であり、待機電源回路１１からの電圧のみでマイコン１４へのプログラム書込が可能である場合について図２を用いて説明する。つまり、主電源回路１２をオフ状態のままで、ＥＥＰＲＯＭ２３にプログラムを書き込む場合を説明する。なお、図２の通り、電気機器１の回路構成自体は図１と同様であり（但し、待機電源回路１１がプログラム書込時に必要な電圧をマイコンに供給できる）、異なるのは、書込治具３を使用せずに、電気機器１をプログラム送信装置２に直接接続することである。つまり、第１の接続手段１６を第４の接続手段２８に接続する。具体的には、第１の電圧供給端子１６Ａは第４の電圧供給端子２８Ａに接続され、プログラム入力端子１６Ｃはプログラム出力端子２８Ｃに接続され、接地端子１６Ｄは接地端子２８Ｄに接続される。一方、第１の切換制御端子１６Ｂは、いずれの端子にも接続されず、開放されている。従って、第１の電圧供給端子１６Ａと第１の切換制御端子１６Ｂとは短絡されない。そのため、トランジスタ２５のべースには待機電源回路１１から電圧が供給されず、トランジスタ２５はオン状態にならない。従って、主電源回路１１はオン状態にならず、待機電源回路１１からの電圧のみがマイコン１４およびプログラム送信装置２に供給される。
【００３４】
以上のように、待機電源回路１１からの電圧のみでマイコン１４へのプログラム書込が可能である場合には、書込治具３を使用しないことにより、待機電源回路１１からの電圧のみでプログラム書込を実行する。従って、無駄な電力消費を低減することができる。
【００３５】
また、プログラム送信装置２に接続された書込治具３に、図３の従来の構成の電気機器３０１を接続して、プログラム書込を実行することも可能である。さらに、書込治具３をプログラム送信装置２から取り外して、プログラム送信装置２に直接、図３に示す従来の電気機器３０１を接続してプログラム書込を実行することもできる。これらの互換性が可能なのは、書込治具３が第３の接続手段２７を有し、プログラム送信装置２が第４の接続手段２８を有しているからである。
【００３６】
以上、本発明の好ましい実施形態について説明したが、本発明はこれらの実施形態には限定されない。例えば、書込治具３はプログラム送信装置２と一体であってもよい（すなわち、第３の接続手段と、第４の接続手段とを有さなくてもよい）。
【産業上の利用可能性】
【００３７】
本発明は、マイコンのＥＥＰＲＯＭにプログラムを外部から書き込む様々な電気機器（例えば、ＴＶ、ＤＶＤプレーヤ、アンプ機器等のオーディオビジュアル機器等）に好適に採用され得る。
【図面の簡単な説明】
【００３８】
【図１】本発明の好ましい実施形態によるプログラム書込システムを示す概略回路図である。
【図２】本発明の好ましい実施形態によるプログラム書込システムを示す概略回路図である。
【図３】従来のプログラム書込システムを示す概略回路図である。
【符号の説明】
【００３９】
１        電気機器
２        プログラム送信装置
３        書込治具
１１      待機電源回路
１２      主電源回路
１４      制御手段
１５      切換手段
１６      第１の接続手段
２６      第２の接続手段
【図１】
2006244157.tif 000003
【図２】
2006244157.tif 000004
【図３】
2006244157.tif 000005